(57)【要約】【課題】一時の娯楽に供する物に限定した取引において、利用者同士の一時の娯楽に供する物に限定した、物品の代金及び、物品の信頼性が高く、透明性のある取引を円滑に支援するシステム、サーバ装置及びプログラムを提供する。【解決手段】利用者の基本情報及び、取引情報をデータベースに格納し、利用者間で確実には予想できない事実を予想し、その結果によって物品の代金及び、物品の取引を行う場合、対象の取引の管理者が予想の結果を受けて結果データを入力し、取引部が更新された取引情報と前記結果データに基づき該利用者の基本情報を更新する。【選択図】図１
2019185700.tif 000002
【特許請求の範囲】
【請求項１】
利用者が所有する複数の利用者所有情報端末もしくは、管理者が設置した複数の店舗内設置情報端末を使用して、個人の利用者同士もしくは複数名の複数名の利用者同士が確実には予想できない事実の結果を予想し、その結果に応じた一時の娯楽に供する物の範囲に限定した物品の代金及び、物品の取引を支援するシステムであって、
利用者が所有する複数の利用者所有情報端末と、管理者が設置した複数の店舗内設置情報端末から入力された上記利用者の基本情報と、上記利用者が条件を設定し募集した取引情報と、管理者情報を記録するデータベースを有するサーバ装置と、
上記利用者の基本情報と取引情報を上記データベースから読み出し、第三者が使用する利用者所有情報端末もしくは、店舗内設置情報端末に送信する送信手段と、
該取引に参加した利用者の基本情報と取引情報を上記データベースから読み出しそれを基に、随時関連するデータを算出する演算部と、
上記利用者は第三者が募集した取引情報に対して参加の旨を送信した場合、上記データベースに記録された複数の基本情報と取引情報に基づいて、第三者が使用する利用者所有情報端末もしくは店舗内設置情報端末を選択し、送信する送信手段と、
該管理者が管理者用情報端末を使って入力した該取引情報の結果データと、演算部が算出した該取引情報のデータを基に、データベースに記憶されている該利用者の基本情報を更新する取引部と、を備え、
上記利用者が参加した取引の該管理者が操作する管理者用情報端末によって入力された結果データにより上記利用者の利用者所有情報端末及び、店舗内設置情報端末、取引を募集した利用者所有の情報端末及び、店舗内設置情報端末に、該利用者の基本情報が該取引の結果に基づき更新され、その取引が完了した旨を通知することを特徴とする一時の娯楽に供する物に限定した、物品の代金及び、物品の取引を支援するシステム。
【請求項２】
上記利用者は取引を開始する前に金銭を入金することで前記入金された金銭をデポジット金残高（預かり金）として、データベースに記録されている前記入金した利用者の基本情報を更新し、取引に参加できることを特徴とする請求項１に記載の一時の娯楽に供する物に限定した、物品の代金及び、物品の取引を支援するシステム。
【請求項３】
取引に参加した利用者であり、該取引の情報を読み取ることのできる、バーコード、ＱＲコード等を、携帯可能な通信端末の画面に表示することで、該取引に係わる現地イベント会場等にて取引条件に設定された結果に応じた精算ができることを特徴とする請求項１に記載の一時の娯楽に供する物に限定した、物品の代金及び、物品の取引を支援するシステム。
【請求項４】
利用者が本システムの取引によって得た物品を使用または飲食する時にあたり、店舗等の該管理者がデータベースに登録された利用者情報と本発明のシステムの取引によって更新された取引情報とを照らし合わせ、前記利用者が該物品を使用または飲食する権利有するかを確認することで、本発明の取引で利用者が入手したチケット等の一時の娯楽に供する物を前記利用者以外が不正に使用または飲食することを防ぐことを特徴とする請求項１又は２に記載の一時の娯楽に供する物に限定した、物品の代金及び、物品の取引を支援するシステム。
【請求項５】
個人の利用者同士もしくは複数名の複数名の利用者同士が確実には予想できない事実の結果を予想し、その結果に応じて一時の娯楽に供する物の範囲に限定した物品の代金及び、物品の取引を支援するシステムであって、
利用者が所有する複数の利用者所有情報端末と、管理者が設置した複数の店舗内設置情報端末から入力された上記利用者の基本情報と、上記利用者が条件を設定し募集した取引情報と、管理者情報をデータベースに記録し、
上記利用者の基本情報と取引情報を上記データベースから読み出し、送信手段を用いて第三者が使用する利用者所有情報端末もしくは、店舗内設置情報端末に送信し、
該取引に参加した利用者の基本情報と取引情報を上記データベースから読み出しそれを基に、随時関連するデータを算出し、
上記利用者は第三者が募集した取引情報に対して参加の旨を送信した場合、上記データベースに記録された複数の基本情報と取引情報に基づいて、第三者が使用する利用者所有情報端末もしくは店舗内設置情報端末を選択し、その情報端末に前記利用者が該取引に参加したことで更新されたデータを送信し、
該管理者が管理者用情報端末を使って入力した該取引情報の結果データと、演算部が算出した該取引情報のデータを基に、データベースに記憶されている該利用者の基本情報を更新し、
上記利用者が参加した取引の該管理者が操作する管理者用情報端末によって入力された結果データにより上記利用者の利用者所有情報端末及び、店舗内設置情報端末、取引を募集した利用者所有の情報端末及び、店舗内設置情報端末に、該利用者の基本情報が該取引の結果に基づき更新され、その取引が完了した旨を通知することを特徴とする一時の娯楽に供する物に限定した、物品の代金及び、物品の取引を支援プログラム。
【請求項６】
上記利用者は取引を開始する前に金銭を入金することで前記入金された金銭をデポジット金残高（預かり金）として、データベースに記録されている前記入金した利用者の基本情報を更新し、取引に参加できることを特徴とする請求項５に記載の一時の娯楽に供する物に限定した、物品の代金及び、物品の取引を支援するプログラム。
【請求項７】
取引に参加した利用者であり、該取引の情報を読み取ることのできる、バーコード、ＱＲコード等を、携帯可能な通信端末の画面に表示することで、該取引に係わる現地イベント会場等にて取引条件に設定された結果に応じた精算ができることを特徴とする請求項５に記載の一時の娯楽に供する物に限定した、物品の代金及び、物品の取引を支援するプログラム。
【請求項８】
利用者が本システムの取引によって得た物品を使用または飲食する時にあたり、店舗等の該管理者がデータベースに登録された利用者情報と本発明のシステムの取引によって更新された取引情報とを照らし合わせ、前記利用者が該物品を使用または飲食する権利有するかを確認することで、本発明の取引で利用者が入手したチケット等の一時の娯楽に供する物を前記利用者以外が不正に使用または飲食することを防ぐことを特徴とする請求項５又は６に記載の一時の娯楽に供する物に限定した、物品の代金及び、物品の取引を支援するプログラム。
【発明の詳細な説明】
【技術分野】
【０００１】  本発明は利用者が予想した、確実に予想できない事実の結果を基にスポーツ観戦チケット、飲食代等の一時の娯楽に供する物に限定した、物品の代金及び、物品の取引を支援するシステム、サーバ装置及びプログラムに関する。
【背景技術】
【０００２】  従来から、パチンコ、スロット等は利用者の遊戯の結果を基に景品と交換するシステムまた、競馬等の公営競技は利用者が予想した、確実に予想できない事実の結果により、配当金を支払うシステムが広く浸透している。
しかしながら、従来のシステムはいずれも金銭と交換可能なため、依存性が高いことや生活保護受給者が利用するなどの社会問題が発生している。
また、システム（賭け事）を運営している者は自らが取得する割合（日本の公営ギャンブルは控除率２５％）を捻出するため前記システムを利用する利用者にとっては不利な設定になっている。このため、不法に賭場を催し罪を犯す者も多い。【０００３】  このような従来のシステムは、基本的には結果に応じて日本円等の金銭を受け取るものである。しかし、依存性がある金銭が関係する賭け事ではなく、日常生活の中で友人とその場の飲食物を賭ける等の娯楽が一般的に行われている。
しかしながら、飲食代を賭ける等の娯楽は基本的に個人間の口約束であり、それゆえに事前の条件設定が不明瞭なことや結果に応じた取引が履行されない事が多い。その取引になんらかに不具合が生じた時、言い争いになり人間関係が悪化する可能性もある。【０００４】  このような背景の中、ＴＶ番組では複数名が料理の値段を予想し最も遠い値を回答した者が代金を支払う番組や、複数名でジャンケンをして、その結果に応じて物品の代金を支払う者を決定する内容の番組がＴＶ放映されている。
【発明の概要】
【発明が解決しようとする課題】
【０００５】  このような内容のＴＶ番組のように一般人もジャンケン等の遊戯の結果に応じて一時の娯楽に供する物を賭けて取引することが多い。しかしながら、これらは基本的には口約束でありその取引を管理する第三者も存在しない。このため、取引の条件設定が不明瞭であることや約束が履行されない事もおおい。
また、パチンコや公営競技は、実際に金銭が受け取れることから依存性が高ことや、システムを運営している者が取得する割合が大きいため利用者にとっては不利である。【０００６】  そこで、発明者は、サーバ装置に、複数の利用者が使用する情報端末のうち一の情報端末から入力された基本情報と、管理者情報と、取引情報をデータベースに記録し、利用者は第三者が募集する物品の取引に参加する場合、データベースに記録された複数の基本情報と、取引情報と、管理者が入力した結果データに基づいて、第三者が使用する情報端末の中から一の情報端末を選択し、その情報端末と物品の代金及び、物品の取引をする取引部を有することにより、取引を完結させることで、従来のシステムの問題点を解決することができることを知見し、本発明を完成させた。【０００７】  本発明は、物品の取引の信頼性が高く、透明性があり、円滑に、個人の利用者同士が一時の娯楽に供する物品の代金及び、物品を賭けて、賭けた対象の結果に応じた取引が終了するまでの物品の代金及び、物品の取引支援システム、又は物品の代金及び、物品の取引支援プログラムを提供することを目的とする。
【課題を解決するための手段】
【０００８】  請求項１に記載の発明は、利用者が所有する複数の利用者所有情報端末もしくは、管理者が設置した複数の店舗内設置情報端末を使用して、個人の利用者同士もしくは複数名のグループの利用者同士が確実には予想できない事実の結果を予想し、その結果に応じた一時の娯楽に供する物の範囲に限定した物品の代金及び、物品の取引を支援するシステムであって、利用者が所有する複数の利用者所有情報端末と、管理者が設置した複数の店舗内設置情報端末から入力された上記利用者の基本情報と、上記利用者が条件を設定し募集した取引情報と、管理者情報を記録するデータベースを有するサーバ装置と、上記利用者の基本情報と取引情報を上記データベースから読み出し、第三者が使用する利用者所有情報端末もしくは、店舗内設置情報端末に送信する送信手段と、該取引に参加した利用者の基本情報と取引情報を上記データベースから読み出しそれを基に、随時関連するデータを算出する演算部と、上記利用者は第三者が募集した取引情報に対して参加の旨を送信した場合、上記データベースに記録された複数の基本情報と取引情報に基づいて、第三者が使用する利用者所有情報端末もしくは店舗内設置情報端末を選択し、送信する送信手段と、該管理者が管理者用情報端末を使って入力した該取引情報の結果データと、演算部が算出した該取引情報のデータを基に、データベースに記憶されている該利用者の基本情報を更新する取引部と、を備え、上記利用者が参加した取引の該管理者が操作する管理者用情報端末によって入力された結果データにより上記利用者の利用者所有情報端末及び、店舗設置情報端末、取引を募集した利用者所有の情報端末及び、店舗設置情報端末に、該利用者の基本情報が該取引の結果に基づき更新され、その取引が完了した旨を通知することを特徴とする一時の娯楽に供する物に限定した、物品の代金及び、物品の取引を支援するシステム。
た【０００９】  請求項２に記載の発明は、本システムを利用する利用者は取引を開始する前に法定通貨及び仮想通貨等の金銭を入金することで前記入金された金銭をデポジット（預かり金）としてデータベースに記録されている前記入金した利用者の基本情報を更新し、取引に参加させることを特徴とする請求項１に記載の一時の娯楽に供する物に限定した、物品の代金及び、物品の取引を支援するシステム。【００１０】  請求項３に記載の発明は、取引に参加した利用者であり、該取引の情報を読み取ることのできる、バーコード、ＱＲコード等を、携帯可能な通信端末の画面に表示することで、該取引に係わる現地イベント会場等にて取引条件に設定された結果に応じた精算ができることを特徴とする請求項１に記載の一時の娯楽に供する物に限定した、物品の代金及び、物品の取引を支援するシステム。【００１１】  請求項４に記載の発明は、利用者が本システムの取引によって得た物品を使用または飲食する時にあたり、店舗等の該管理者がデータベースに登録された利用者情報と本発明のシステムの取引によって更新された取引情報とを照らし合わせ、前記利用者が該物品を使用または飲食する権利有するかを確認することで、本発明の取引で利用者が入手したチケット等の一時の娯楽に供する物を前記利用者以外が不正に使用または飲食することを防ぐことを特徴とする請求項１に記載の一時の娯楽に供する物に限定した、物品の代金及び、物品の取引を支援するシステム。【００１２】  請求項５に記載の発明は、個人の利用者同士もしくは複数名の複数名の利用者同士が確実には予想できない事実の結果を予想し、その結果に応じて一時の娯楽に供する物の範囲に限定した物品の代金及び、物品の取引を支援するシステムであって、利用者が所有する複数の利用者所有情報端末と、管理者が設置した複数の店舗内設置情報端末から入力された上記利用者の基本情報と、上記利用者が条件を設定し募集した取引情報と、管理者情報をデータベースに記録し、上記利用者の基本情報と取引情報を上記データベースから読み出し、送信手段を用いて第三者が使用する利用者所有情報端末もしくは、店舗内設置情報端末に送信し、該取引に参加した利用者の基本情報と取引情報を上記データベースから読み出しそれを基に、随時関連するデータを算出し、上記利用者は第三者が募集した取引情報に対して参加の旨を送信した場合、上記データベースに記録された複数の基本情報と取引情報に基づいて、第三者が使用する利用者所有情報端末もしくは店舗内設置情報端末を選択し、その情報端末に前記利用者が該取引に参加したことで更新されたデータを送信し、該管理者が管理者用情報端末を使って入力した該取引情報の結果データと、演算部が算出した該取引情報のデータを基に、データベースに記憶されている該利用者の基本情報を更新し、上記利用者が参加した取引の該管理者が操作する管理者用情報端末によって入力された結果データにより上記利用者の利用者所有情報端末及び、店舗設置情報端末、取引を募集した利用者所有の情報端末及び、店舗設置情報端末に、該利用者の基本情報が該取引の結果に基づき更新され、その取引が完了した旨を通知することを特徴とする一時の娯楽に供する物に限定した、物���の代金及び、物品の取引を支援プログラム。【００１３】  請求項６に記載の発明は、本システムを利用する利用者は取引を開始する前に法定通貨及び仮想通貨等の金銭を入金することで前記入金された金銭をデポジット（預かり金）としてデータベースに記録されている前記入金した利用者の基本情報を更新し、取引に参加させることを特徴とする請求項１に記載の一時の娯楽に供する物に限定した、物品の代金及び、物品の取引を支援するプログラム。【００１４】  請求項７に記載の発明は、取引に参加した利用者であり、該取引の情報を読み取ることのできる、バーコード、ＱＲコード等を、携帯可能な通信端末の画面に表示することで、該取引に係わる現地イベント会場等にて取引条件に設定された結果に応じた精算ができることを特徴とする請求項１に記載の一時の娯楽に供する物に限定した、物品の代金及び、物品の取引を支援するプログラム。【００１５】  請求項８に記載の発明は、利用者が本システムの取引によって得た物品を使用または飲食する時にあたり、店舗等の該管理者がデータベースに登録された利用者情報と本発明のシステムの取引によって更新された取引情報とを照らし合わせ、前記利用者が該物品を使用または飲食する権利有するかを確認することで、本発明の取引で利用者が入手したチケット等の一時の娯楽に供する物を前記利用者以外が不正に使用または飲食することを防ぐことを特徴とする請求項１に記載の一時の娯楽に供する物に限定した、物品の代金及び、物品の取引を支援するプログラム。【００１６】  請求項１及び請求項５に記載の発明によれば、利用者の基本情報と募集された取引情報をデータベースに格納し、利用者は第三者によって募集されている確実には予想できない事実の結果を予想し、その取引に参加した場合、取引の結果入力を任される管理者が対象の結果に基づいて結果データを入力することで、該取引に参加している利用者の基本情報が更新され、該利用者の情報端末にその旨が通知される。これにより、個人の利用者同士もしくは複数名のグループの利用者同士の一時の娯楽に供する物の範囲に限定した物品の代金及び、物品の取引が可能となる。
このため、公営競技のように運営している者がいないため、運営者自らが取得する割合がなく、条件設定を利用者個人が行うことで透明性があり、取引開始から終了まで情報端末を用いるため、必ず取引開始時に設定した条件が確実に履行され、トラブルが起きにくい。
また、金銭ではなく、一時の娯楽に供する物に限定することで、依存性が少なく、賭博に関連する社会問題も解決する。【００１７】  ここで、利用者の基本情報とは、住所、氏名、年齢、生年月日、利用規約の同意、本人確認を行った際の画像データ、利用者が入金した金銭の残高、利用者の取引履歴、利用者プロフィール、利用者ＩＤ等から構成される。
取引情報とは取引に参加する利用者と、利用者が予想した確実に予見できない事象に係わる時間、管理者、一時の娯楽に供する物を負担の条件、該物品の代金の負担率、画像データ、コメント等から構成される。
管理者とは、利用者が取引の条件において設定した取引の結果データを該事象の結果に応じて入力する者をいい、管理者情報として、導入する店舗情報、管理者の住所、氏名、年齢、生年月日、利用規約の同意、本人確認を行った際の画像データ等と、ともに、データベースに記録されている。【００１８】  利用者所有情報端末とは、個人及び複数名の利用者が所有し、取引に参加するために使用する情報通信端末である。
また、店舗内設置情報端末とは、管理者が、店舗等の限定区域において管理者が運営する店舗等を利用する利用者に使用させる情報通信端末である。
管理者情報端末とは、取引を募集した利用者に結果入力を任された管理者が対象の結果に応じて結果データを入力する情報通信端末であって、利用者所有情報端末と、店舗内設置情報端末と、管理者情報端末は、スマートフォン型、タブレット型、ノートパソコン等のインターネットに接続可能な通信端末をいう。インターネットに接続する方法は特に問わないが、利便性向上のため、Ｗｉ−Ｆｉ接続可能なものが好ましい。【００１９】  請求項２及び請求項６に記載の発明によれば、利用者は取引を開始する前に金銭を入金することで、前記入金された金銭をデポジット金残高（預かり金）として、データベースに記録されている前記入金した利用者の基本情報を更新し、一時の娯楽に供する物に係る取引に参加することができる。このようにすることで、確実な取引が可能でありトラブルが起こりにくい。
なお、金銭とは、例えば、日本円等の法定通貨及び、ビットコイン等の法定通貨と交換可能な仮想通貨や企業ポイントである。また、一時の娯楽に供する物とは、例えるなら、スポーツ観戦チケットや、飲食物等を想定しているが一時の娯楽に供する物の範疇であれば特に問わない。【００２０】  請求項３及び請求項７に記載の発明によれば、携帯可能な通信端末の画面にバーコード等の取引に参加した利用者であり、該取引の情報を表示することで、該取引に係わる現地イベント会場にて事前に設定された取引条件の結果に応じた精算ができる。このようにすることで、オンラインで金銭を扱うことがないため、ハッキングやシステムダウンによる被害をうけにくく、安心した取引ができる。【００２１】  請求項４及び請求項８に記載の発明によれば、本システムの利用者が取引によって得た物品を使用または飲食する時にあたり、店舗等の該管理者がデータベースに登録された利用者情報と本発明のシステムの取引によって更新された取引情報とを照らし合わせ、前記利用者が該物品を使用または飲食する権利有するかを確認することで、本発明の取引で利用者が入手したチケット等の一時の娯楽に供する物を前記利用者以外が不正に使用することを防ぐことができる。
これにより、利用者は取引によって得たスポーツ観戦チケット等を転売等によって不当に換金することができず、このシステムによって取引される物品は一時の娯楽に供する物の範疇を逸脱することがない。
【発明の効果】
【００２２】  本発明によれば、個人の利用者同士及び、複数名の利用者同士は一時の娯楽に供する物の取引を行うことが可能となり、透明性があり、利用者はデポジット金を入金した後に取引を開始するため、確実な取引が行える。そのため、トラブルが起きにくく、安心した取引が行える。【００２３】  また、請求項３及び請求項７に記載の発明によれば、請求項２及び請求項６に記載のとおり、事前に金銭を入金せずとも取引に参加できる。そのため利用者のニーズに沿った決済方法が可能であり、利用者はハッキングやシステムダウンによる被害をうけにくい。【００２４】  また、請求項４及び請求項８に記載の発明によれば、取引によって入手した物はデータベースに登録された本人のみが使用可能である。そのため、現在問題になっているチケット等の転売を目的とした取引を防ぐことができる。また、これにより換金を目的とした取引ができないため一時の娯楽に供する物の範疇を逸脱しない取引を行うことができる。
【図面の簡単な説明】
【００２５】
【図１】本発明の実施例に係る一時の娯楽に供する物に限定した、物品の代金及び、物品の取引を支援するシステムの全体構成図である。
【図２】本発明の実施例に係る一時の娯楽に供する物に限定した、物品の代金及び、物品の取引を支援するシステムにおけるサーバ装置の詳細な構成図である。
【図３】本発明の実施例に係る一時の娯楽に供する物に限定した、物品の代金及び、物品の取引を支援するシステムにおける情報端末の詳細な構成図である。
【図４】本発明の実施例に係る一時の娯楽に供する物に限定した、物品の代金及び、物品の取引を支援するシステムにおける処理手順を示すフローチャートである。
【図５】本発明の実施例に係る一時の娯楽に供する物に限定した、物品の代金及び、物品の取引を支援するシステムにおけるホーム画面の表示例を示す図である。
【図６】本発明の実施例に係る一時の娯楽に供する物に限定した、物品の代金及び、物品の取引を支援するシステムにおける取引選択画面の表示例を示す図である。
【図７】本発明の実施例に係る一時の娯楽に供する物に限定した、物品の代金及び、物品の取引を支援するシステムにおける詳細取引情報画面の表示例を示す図である。
【図８】本発明の実施例に係る一時の娯楽に供する物に限定した、物品の代金及び、物品の取引を支援するシステムにおける更新された詳細取引情報画面の表示例を示す図である。
【図９】本発明の実施例に係る一時の娯楽に供する物に限定した、物品の代金及び、物品の取引を支援するシステムにおける結果画面の表示例を示す図である。
【発明を実施するための形態】
【００２６】  以下、図面を参照にしつつ、本発明の実施例に係る一時の娯楽に供する物に限定した、物品の代金及び、物品の取引を支援するシステムについて説明する。
図１及び図２に示すように、本発明の実施例に係る一時の娯楽に供する物に限定した、物品の代金及び、物品の取引を支援するシステムでは、利用者情報データベース１４及び管理者情報データベース１５及び取引情報データベース１６を格納したサーバ装置１と、利用者所有情報端末２と、店舗内設置情報端末３と、管理者用情報端末４から構成されている。店舗内等の限定区域において本システムを開始する場合、該管理者は、店舗内設置情報端末３を所定の席ごとに設置するとともに、管理者用情報端末４を用いて、店舗内設置情報端末３を管理する。所定の席ごとに設置され店舗内設置情報端末３限定区域管理者用情報端末４とネットワーク等を介して通信可能とする。
【００２７】  店舗内設置情報端末３を備えた席についた個人または複数名の利用者及び利用者所有情報端末２を使用して取引に参加する個人または複数名の利用者は、他の利用者が募集した取引に対して参加を希望する場合、店舗内設置情報端末３または利用者所有情報端末２を用いて利用者の基本情報を入力する。そして、ネットワーク等を利用して店舗内設置情報端末３または利用者所有情報端末２からサーバ装置１に基本情報を送信する。サーバ装置１にて受信した基本情報は、サーバ装置内に格納された利用者情報データベース１４に記録する。そして、募集されている取引に参加を希望する利用者は、サーバ装置１から送信された取引情報を店舗内設置情報端末３または利用者所有情報端末２によって受信する。前記受信したデータを基に取引に参加を希望する利用者は、参加する取引を選択し店舗内設置情報端末３または利用者所有情報端末２を使って参加する旨をサーバ装置１に送信する。サーバ装置１は受信した利用者が参加する旨の情報を受けてサーバ装置１内に格納された取引情報データベース１６に記録されている取引情報を更新する。店舗内設置情報端末３または利用者所有情報端末２は更新されたその取引情報に係る利用者へ通知する。その後、管理者は取引情報の設定に基づいて結果データを管理者用情報端末４にて入力、送信する。前記結果データを受信したサーバ装置１は該当する利用者データベース１４に格納された基本情報と、取引情報データベースに格納された取引情報を更新する。
また、募集されている取引に参加せず、自ら取引を募集する場合、利用者は店舗設置情報端末３または利用者所有情報端末２用いて募集する取引に係る取引情報を入力し、サーバ装置１に取引情報を送信する。サーバ装置１にて受信した取引情報は、サーバ装置内に格納された取引情報データベース１６に記録する。これにより、取引に参加する側の利用者に対して参加を呼びかけることができる。
【００２８】  ネットワーク接続の種類は特に問わず、インターネット、携帯電話通信網、ＬＡＮ（Ｌｏｃａｌ  Ａｒｅａ  Ｎｅｔｗｏｒｋ）またはこれらの複数が組み合わされたネットワーク等があげられる。
【００２９】  利用者は管理者が開設したウェブサイトで会員登録するか、利用者所有情報端末２にアプリケーションをダウンロード・インストールし必要事項を入力することで会員登録ができ、一時の娯楽に供する物に限定した、物品の代金及び、物品の取引を支援するシステムを利用することができる。また、会員登録をしない場合でも店舗に設置されている店舗内設置情報端末３を使用して利用者情報データベース１４に情報を一時的に記録させることで、一時の娯楽に供する物に限定した、物品の代金及び、物品の取引を支援するシステムを利用できる。
【００３０】  利用者が募集する取引に係る確実に予想できない事実とは、本発明のシステムを導入した店舗でパブリックビューイング等によって放映されているスポーツ中継及び前記店舗内で行われる利用者同士による遊戯の結果や、サッカー等のスポーツを開催しているイベントの試合結果を想定しているが、例に挙げた事柄以外にも本システムが利用できる場であれば特に利用を問わない。
なお、以下の説明においてはサッカーの試合結果に基づいた個人の利用者同士の一時の娯楽に供する物に限定した、物品の代金及び、物品の取引を支援するシステムを用いることを想定する。
【００３１】  利用者は利用者所有情報端末２に表示されている取引情報をみて判断し、相手利用者が募集した取引へ参加できる。また、一時的に本システムを利用する利用者の場合、店舗内設置情報端末３を使って店舗の管理者の管理下、取引に参加することができる。
【００３２】  図２に示されるように、サーバ装置１は、ＣＰＵ（Ｃｅｎｔｒａｌ  Ｐｒｏｃｅｓｓｉｎｇ  Ｕｎｉｔ）などの制御装置１１を備えている。制御部１１は、通信部１２、記憶部１３とシステムバスを介して電気的に接続されている。通信部１２は、ネットワーク５を介して利用者所有情報端末２と店舗設置情報端末３と管理者用情報端末４との通信のための通信インターフェースである。記憶部１３は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）やハードディスクドライブ等から構成される。ＲＯＭには制御部１１で実行されるプログラム１７が格納されており、その実行時にはＲＡＭがワークエリアを提供する。また、ハードディスクドライブには、論理的には、利用者情報データベース１４には利用者の基本情報が、管理者情報データベース１５には管理者の管理者情報が、取引情報データベース１６には取引に関する取引情報が記録されている。
【００３３】  利用者情報データベース１４に記録されている基本情報は、住所、氏名、年齢、生年月日、利用規約の同意、本人確認を行った際の画像データ、利用者が入金した金銭の残高、利用者の取引履歴、利用者プロフィール、利用者ＩＤ等から構成される。
また、利用者が複数人からなるグループの場合もあるため、必要に応じて、人数構成についても一時的に基本情報として記録される。その場合のグループ間における取引情報に基づく、一時の娯楽に供する物に限定した、物品の代金の負担率も一時的に基本情報として登録される
利用者情報データベース１４に記録されている基本情報は、利用者登録時に利用者所有情報端末２にて、入力、送信されサーバ装置１側で制御部１１により記憶部１３の利用者情報データベース１４に記録される。また、一時的に記憶される情報については、利用者が本システムを利用する際に、店舗内設置情報端末３にて入力、送信され、利用者情報データベース００に記憶される。なお、一時的に記憶される情報については、一定時間経過後（例えば１年後）に利用者情報データベース００から削除される。
【００３４】  管理者情報データベース１５に記録されている管理者情報は、導入する店舗情報、管理者の住所、氏名、年齢、生年月日、利用規約の同意、本人確認を行った際の画像データ等から構成される。
管理者情報データベース１５に記録されている管理者情報は、管理者登録時に管理者用情報端末４にて入力、送信され、サーバ装置１側で制御部１１により記憶部１３の管理者情報データベース１５に記録される。
【００３５】  取引情報とは、募集した利用者、取引に参加する利用者、利用者が予想した確実には予想できない事実、前記事実に係る詳細、結果を入力する管理者、一時の娯楽に供する物を負担の条件、負担率、画像データ、コメント等から構成される。
取引情報データベース１６に記録されている取引情報は、取引募集時に利用者所有情報端末２及び店舗内設置情報端末３にて入力、送信され、サーバ装置１側で制御部１１により記憶部１３の取引情報データベース１５に記録され、利用者が参加した時や、管理者が結果データを送信した際に、サーバ装置１側で制御部１１により該取引情報が更新される。
【００３６】  制御部１１では、記憶部１３のプログラム１７を読み出し実行することで、主制御部１１ａ、検索部１１ｂ、表示データ生成部１１ｃ、演算部１１ｄ、取引部１１ｅとして機能する。
【００３７】  主制御部１１ａでは、利用者所有情報端末２及び店舗設内置情報端末３から発信された利用者の基本情報や管理者用情報端末４から発信された管理者の基本情報等を、通信部１２を介して受信すると、記憶部１３の利用者情報データベース１５を更新するなど、統括的な制御を行う。検索部１１ｂは、利用者所有情報端末２及び店舗設置情報端末３より検索指示を受けると、検索指示に該当する取引を取引情報データベース１６から読み出し、検索指示が送信された情報端末に通信部１２を介して検索結果として通知する。
【００３８】  表示データ生成部１１ｃでは、例えば取引情報データベース１６を参照して、検索部１１ｂによって条件に当てはまる選択された複数の取引情報を検索指示に基づき検索結果としてＨＴＭＬデータ等で生成する等の状況に応じて必要とされる表示データを生成する。
【００３９】  演算部１１ｄでは、例えば取引を募集した利用者がその募集された取引に参加する参加者の人数によって一人当たり負担率が変動する旨の取引を設定し募集した場合、情報端末２〜３から該取引の参加希望をサーバ装置１が受付、主制御部１１ａにより該取引情報が更新されると演算部１１ｄは一人当たりの負担率を算出し、その値を基に主制御部１１ａが取引情報に更新する。取引部１１ｅでは、取引情報データベース１６に格納されている該取引情報と管理者用情報端末４を用いて管理者によって入力された該結果データを基に利用者情報データベース１４に格納されている該利用者のデポジット金残高を更新する。
【００４０】  利用者所有情報端末２、店舗内設置情報端末３、管理者用情報端末４は、携帯可能に構成された通信端末であり、具体的には携帯電話、スマートフォン、タブレット端末、ウェアラブル端末、モバイルパソコン等があげられる。また、情報端末は、通信ネットワークを介して運営サーバにアクセスする通信機能以外にも、表示機能、タッチパネル機能、通話機能、マイク機能、スピーカー機能、バイブレーション機能、撮影機能、インターネット閲覧機能、近距離無線通信機能、例えば、Ｂｌｕｅｔｏｏｔｈ（商標登録）やＷｉ−Ｆｉ、ＧＰＳ機能等が備えられているとよい。
サーバ装置１または利用者所有情報端末２、店舗内設置情報端末３、管理者用情報端４末は、ネットワーク５を介して互いに通信可能に構成されており、互いに情報やデータを授受することによって以下に説明する処理の少なくとも一部を実現することができる。
また、これらの情報端末２〜４は、サーバ装置１の運営者が配信しているアプリケーションソフトがインストールされており、当該アプリケーションソフトの機能としてサーバ装置１がネットワーク上に公開している種々の情報を閲覧、検索結果表示する等が可能になる。
【００４１】  図３は本発明の実施例に係る一時の娯楽に供する物に限定した、物品の代金及び、物品の取引を支援するシステムにおける情報端末の詳細な構成を例示するものである。
情報端末２〜４は、ＣＰＵ等の制御部２１を備えている。制御部２１は、システムバス２９を介して、通信部２２、操作部２３、表示部２４、記憶部２５、撮像部２６、音声入出力部２７、と電気的に接続されている。通信部２２は、ネットワーク５を介してサーバ装置１等と通信を行うインターフェースである。操作部２３はマウスやキーボード等の操作デバイスである。表示部２４は液晶ディスプレイ等の表示でバスである。操作部２３と表示部２４とがタッチパネルとして一体化されてもよい。記憶部２５は、制御部２１で実行されるプログラム２８などを記憶し、その実行時にはワークエリアを提供する。撮像部２６は利用者の画像を撮像する。音声入出力部２７は、マイク等の音声入力デバイスと、スピーカー等の音声出力デバイスからなる。
【００４２】  制御部２１では、記憶部２５のプログラムを読み出し実行することで主制御部２１ａ、閲覧部２１ｂ、及び表示制御部２１ｃとして機能する。
【００４３】  主制御部２１ａでは、表示部２４の画面に基づく入力データを、通信部２２を介してサーバ装置１に送信するなど、統括的な制御を行う。閲覧部２１ｂでは、サーバ装置１により提供されるウェブサイトに係るＨＴＭＬファイル等に基づいて閲覧を可能とする。その時には、表示制御部２１ｃが、表示部２４における表示を制御する。
【００４４】  次に、図４のフローチャートを参照して、本発明の実施例に係る一時の娯楽に供する物に限定した、物品の代金及び、物品の取引を支援するシステムによる処理手順を詳細に説明する。
なお、前提として管理者は管理者用情報端末４を使って、利用者は利用者所有情報端末２を使って取引開始までに必要な一連の登録を済ませており、サーバ装置１に格納された各データベースに登録時の情報が記録されている。
【００４５】  利用者は利用者所有情報端末２を使って、ＩＤやパスワードを入力し、サーバ装置１にログインする。（Ｓ１）サーバ装置１では認証要求を受けて所定の認証が主制御部１１ａにより実行される（Ｓ２）。認証が成立すると、ホーム画面データが通信部１２を介して利用者所有情報端末２に送信される（Ｓ３）。利用者所有情報端末２は、ホーム画面データを受信すると、閲覧部２１ｂによる制御の下、表示部２４に図５のようなホーム画面を表示する（Ｓ４）。
【００４６】  このホーム画面において、利用者は条件を入力し、利用者所有情報端末２は主制御部２１ａが入力した条件をサーバ装置１側に送信する（Ｓ５）。サーバ装置１は、入力された条件データを受信すると、検索部１１ｂが前記条件データを基に取引情報データベースに記録されている条件に合致した複数の取引情報を抽出し（Ｓ６）、表示データ生成部１１ｃが抽出された情報を基に取引選択画面データをＨＴＭＬ等により生成し、そのデータを主制御部１１ａの制御の下、通信部１２を介して、利用者所有情報端末２に送信する（Ｓ７）利用者所有情報端末２では、取引選択画面データを受信すると、閲覧部２１ｂによる制御の下、表示部２４に図６のような取引選択画面を表示する（Ｓ８）
【００４７】  この取引選択画面において、一つの取引が選択されると（Ｓ９をＹｅｓ）主制御部２１ａはサーバ装置１に対して選択要求を送信する。（Ｓ１０）。サーバ装置１では、選択要求をうけると、検索部１１ｂ前記条件データを基に取引情報データベースに記録されている取引情報を抽出し（Ｓ１１）、表示データ生成部１１ｃが、取引詳細画面データをＨＴＭＬ等により生成し、そのデータを主制御部１１ａの制御の下、通信部１２を介して、利用者所有情報端末２に送信する（Ｓ１２）利用者所有情報端末２では、取引詳細画面データを受信すると、閲覧部２１ｂによる制御の下、表示部２４に図７のような取引詳細画面を表示する（Ｓ１３）
【００４８】  この取引詳細画面において、取引に参加を希望するが選択されると（Ｓ１４をＹｅｓ）、主制御部２１ａは利用者が取引に参加希望した旨のデータをサーバ装置１に送信する（Ｓ１５）。サーバ装置１は、利用者が取引に参加希望した旨のデータを受信すると、主制御部１１ａの制御の下、データベースに格納されている該取引情報と該基本情報を更新する（Ｓ１６）。表示データ生成部１１ｃが、更新されたデータを基にＨＴＭＬ等により生成し、生成された更新画面データを主制御部１１ａの制御の下、通信部１２を介して、利用者所有情報端末２に送信する（Ｓ１７）利用者所有情報端末２では、更新画面データを受信すると、閲覧部２１ｂによる制御の下、表示部２４に図８のような更新された取引詳細画面を表示する（Ｓ１８）
【００４９】  この取引の該管理者は事前に取引情報に定められた対象の結果を受けて、管理者の判断で結果データを管理者用情報端末４を使って管理者画面より入力する（Ｓ１９）。主制御部２１ａが入力した結果データをサーバ装置１側に送信する（Ｓ２０）。サーバ装置１は結果データを受信すると主制御部１１ａの制御の下、データベースに格納されている該取引情報と該基本情報を、その更新を基に取引部１１ｅが利用者情報データベースに格納されている該利用者のデポジット金残高を更新する。（Ｓ２２）。表示データ生成部１１ｃが、更新されたデータを基にＨＴＭＬ等により生成し、生成された結果画面データを主制御部１１ａの制御の下、通信部１２を介して、利用者所有情報端末２に送信する（Ｓ２３）利用者所有情報端末２では、結果画面データを受信すると、閲覧部２１ｂによる制御の下、表示部２４に図９のような更新された結果画面を表示する（Ｓ２４）同様に取引を募集した側の利用者所有情報端末２にもその利用者に適応した結果画面が表示される（Ｓ２５）。
【００５０】  以上、本発明の実施例について説明したが、本発明はこれに限定されることなく、その趣旨を逸脱しない範囲での種々の改良・変更が可能であることは勿論である。
例えば、一時の娯楽に供する物に限定した取引の他にも、あらかじめ設定された条件に基づき、条件が履行された場合のみ支払うような成功報酬支払型のシステムにおいても本発明の効果が期待できる。
【符号の説明】
【００５１】  １  サーバ装置、２  利用者所有情報端末、３  店舗内設置情報端末、４  管理者用情報端末、５  ネットワーク、１１  制御部、１１ａ  主制御部、１１ｂ  検索部、１１ｃ  表示データ生成部、１１ｄ  演算部、１１ｅ  取引部、１２  通信部、１３  記憶部、１４  利用者情報データベース、１５  管理者情報データベース、１６  取引情報データベース、１７  システムバス、１８  プログラム、２１  制御部、２１ａ  主制御部、２１ｂ  閲覧部、２１ｃ  表示制御部、２２  通信部、２３  操作部、２４  表示部、２５  記憶部、２６  撮像部、２７  音声入出力部、２８  プログラム、２９  システムバス
【図１】
2019185700.tif 000003
【図２】
2019185700.tif 000004
【図３】
2019185700.tif 000005
【図４】
2019185700.tif 000006
【図５】
2019185700.tif 000007
【図６】
2019185700.tif 000008
【図７】
2019185700.tif 000009
【図８】
2019185700.tif 000010
【図９】
2019185700.tif 000011